(57)【特許請求の範囲】
【請求項１】
複数の歌唱者によって選曲された楽曲を演奏するカラオケ装置において、
前記複数の歌唱者によるカラオケ装置の一回の利用における所定期間に演奏された複数の楽曲から、共通する属性情報を抽出する属性情報抽出部と、
抽出された前記属性情報の割合と閾値とを比較する比較部と、
抽出された前記属性情報の割合が閾値以上の場合、当該属性情報を含む楽曲のみを選曲可能とする縛りモードに移行するためのアイコンを表示部に表示させる表示制御部と、
を有することを特徴とするカラオケ装置。
【請求項２】
前記縛りモードに移行した後、入力部を介して新たな属性情報の入力があった場合、前記縛りモードに適用する属性情報を含む楽曲であって、且つ前記新たな属性情報を含む楽曲のみを選曲可能とするモード制御部を有することを特徴とする請求項１記載のカラオケ装置。
【発明の詳細な説明】
【技術分野】
【０００１】
本発明はカラオケ装置に関する。
【０００２】
カラオケ歌唱の新たな楽しみ方として、所謂「縛りカラオケ」と呼ばれるものがある。縛りカラオケは、任意のテーマ（たとえば、８０年代の楽曲のみ、２０００年代の楽曲のみといった年代縛り、アニメソングのみ、Ｊ−ＰＯＰのみといったジャンル縛り）に該当する曲だけを歌唱するというルールを歌唱者（或いは歌唱者同士）が決めて、そのルールに従って選曲・歌唱を行うものである。
【０００３】
一方、たとえば特許文献１には、各カラオケ利用者の属性情報における所定の項目内容が共通している多数派を占める利用者による利用を客観的に判断し、その利用者グループが特によく知っており、馴染み深い楽曲を推薦楽曲として表示し、当該楽曲を容易かつ効率的に選曲できるカラオケシステムが記載されている。このようなカラオケシステムを利用することにより、カラオケ利用者の属性情報に関連した楽曲を推薦できるため、縛りカラオケに似た楽しみ方を提供することができる。
【先行技術文献】
【特許文献】
【０００４】
【特許文献１】特開２００８−３１０２６５号公報
【発明の概要】
【発明が解決しようとする課題】
【０００５】
ここで、従来の縛りカラオケは、都度テーマを決める必要があり煩雑である。また、従来の縛りカラオケは、歌唱者が口頭でテーマを決めているため、ルールを徹底することが難しい。
【０００６】
更には、縛りカラオケのテーマは、その日の気分や歌唱するメンバー構成によって様々なバリエーションが考えられる。つまり、ある歌唱者が常に一定のテーマで縛りカラオケを行うものではない。また、一般的な縛りカラオケは、ある歌唱者が歌唱した楽曲を聴いた他の歌唱者が「自分も同じジャンルの楽曲を唄おう」といった状況で自然発生的に開始されることも多い。
【０００７】
従って、特許文献１のようにカラオケ利用者に予め紐づけられた属性情報に基づいて推薦曲を表示するようなカラオケシステムでは、歌唱者の求める縛りカラオケには不都合な場合もありうる。
【０００８】
本発明の目的は、歌唱者が求める縛りカラオケを容易に行うことが可能なカラオケ装置を提供することにある。
【課題を解決するための手段】
【０００９】
上記課題を解決するために、請求項１に係るカラオケ装置は、歌唱者によって選曲された楽曲を演奏するカラオケ装置において、所定期間に演奏された複数の楽曲から、共通する属性情報を抽出する属性情報抽出部と、抽出された前記属性情報の割合と閾値とを比較する比較部と、抽出された前記属性情報の割合が閾値以上の場合、当該属性情報を含む楽曲のみを選曲可能とする縛りモードに移行するためのアイコンを表示部に表示させる表示制御部とを有する。
【００１０】
また、上記課題を解決するために、請求項２に係るカラオケ装置は、請求項１記載のカラオケ装置であって、前記縛りモードに移行した後、入力部を介して新たな属性情報の入力があった場合、抽出された前記属性情報を含む楽曲であって、且つ前記新たな属性情報を含む楽曲のみを選曲可能とするモード制御部を有する。
【発明の効果】
【００１１】
本発明によれば、歌唱が求める縛りカラオケを容易に行うことができる。
【図面の簡単な説明】
【００１２】
【図１】実施形態に係るカラオケ装置の概略を示す図である。
【図２】実施形態に係るカラオケ本体のハードウェア構成例を示す図である。
【図３】実施形態に係るカラオケ本体のソフトウェア構成例を示す図である。
【図４】実施形態に係るリモコン装置のディスプレイを示す図である。
【図５】実施形態に係るリモコン装置のディスプレイを示す図である。
【図６Ａ】実施形態に係るリモコン装置のディスプレイを示す図である。
【図６Ｂ】実施形態に係るリモコン装置のディスプレイを示す図である。
【図６Ｃ】実施形態に係るリモコン装置のディスプレイを示す図である。
【図７】実施形態に係るカラオケ装置の処理を示すフローチャートである。
【発明を実施するための形態】
【００１３】
＜実施形態＞
図１〜図７を参照して、第１実施形態に係るカラオケ装置１について説明する。
【００１４】
＝＝カラオケ装置＝＝
（ハードウェア構成）
カラオケ装置１は、カラオケ演奏及び歌唱者が歌唱を行うための装置である。図１に示すように、カラオケ装置１は、カラオケ本体１０、スピーカ２０、表示装置３０、マイク４０、及びリモコン装置５０を備える。カラオケ装置１は、通信回線を介してサーバ（図示なし）と通信可能に接続され、カラオケシステムを構築する。
【００１５】
スピーカ２０はカラオケ本体１０からの放音信号に基づいて放音するための構成である。表示装置３０はカラオケ本体１０からの信号に基づいて映像や画像を画面に表示するための構成である。マイク４０は歌唱者の音声（歌唱音声）をアナログの音声信号に変換してカラオケ本体１０に入力するための構成である。リモコン装置５０は、カラオケ本体１０に対する各種操作をおこなうための装置である。歌唱者はリモコン装置５０を用いてカラオケ装置１の起動、楽曲の予約等を行うことができる。
【００１６】
カラオケ本体１０は、選択された楽曲の演奏制御、歌詞および背景映像の表示制御、マイク４０を通じて入力された歌唱音声信号の処理といった、カラオケ歌唱に関する各種の制御を行う。図２はカラオケ本体１０のハードウェア構成例を示す図である。カラオケ本体１０は、制御部１１、通信部１２、記憶部１３、音響処理部１４、表示処理部１５及び操作部１６を備える。各構成はインターフェース（図示なし）を介してバスＢに接続されている。
【００１７】
制御部１１は、ＣＰＵ１１ａおよびメモリ１１ｂを備える。ＣＰＵ１１ａは、メモリ１１ｂに記憶された動作プログラムを実行することにより各種の制御機能を実現する。メモリ１１ｂは、ＣＰＵ１１ａに実行されるプログラムを記憶したり、プログラムの実行時に各種情報を一時的に記憶したりする記憶装置である。
【００１８】
通信部１２は、ルーター（図示なし）を介してカラオケ本体１０を通信回線に接続するためのインタフェースを提供する。
【００１９】
記憶部１３は、各種のデータを記憶する大容量の記憶装置であり、たとえばハードディスクドライブなどである。
【００２０】
記憶部１３は、複数の楽曲データを記憶する。楽曲データは、カラオケ装置１によりカラオケ演奏を行うためのデータである。カラオケ装置１が楽曲データに基づいて楽曲を演奏することにより、歌唱者はカラオケの歌唱が可能となる。楽曲データは、楽曲毎に所定のＩＤ（楽曲ＩＤ）が付与されている。
【００２１】
楽曲データは、ＭＩＤＩデータ、歌詞データ、リファレンスデータ等が含まれる。ＭＩＤＩデータは、電子楽器の音源を自動演奏させるためのカラオケ演奏データであり、時系列のノート情報によって構成される。ノート情報は、たとえば発音や消音のタイミング、キーの押圧力、音の高さ、再生ピッチ等を制御する各種の命令によって構成される。歌詞データは、カラオケ楽曲における歌詞テロップを表示装置３０に表示させるための文字列データである。歌詞データは、楽曲毎に予め設定されている。リファレンスデータは、利用者によるカラオケ歌唱を採点する際の基準となるデータであり、ヴォーカルの音高を表す時系列の音高情報によって構成されている。
【００２２】
ここで、それぞれの楽曲データには、属性情報が含まれている。属性情報は、当該楽曲の区分を示すものであり、たとえば、歌手名、楽曲のジャンル（ポップス、ロック、演歌、アニメ等）、歌唱者性別（男性、女性、デュエット）、年代（７０年代、８０年代・・・・２０１０年代）等である。一の楽曲データには少なくとも一の属性情報が含まれている。
【００２３】
また、記憶部１３は、カラオケ演奏時に表示装置３０に表示される背景画像やキャラクタ等の映像データを記憶する。
【００２４】
なお、本実施形態に係るカラオケ装置１において使用される楽曲データや映像データは、記憶部１３に記憶されているものではなく、サーバ（図示なし）から直接取得したデータであってもよい。
【００２５】
音響処理部１４は、制御部１１の制御に基づき、カラオケ楽曲に対する演奏の制御およびマイク４０を通じて入力された音声信号の処理を行う。音響処理部１４は、たとえばＭＩＤＩ音源、ミキサ、アンプ（いずれも図示なし）を含む。ＭＩＤＩ音源は、楽曲データに基づいて楽音信号を生成する。ミキサは、当該音楽信号およびマイク４０から出力される音声信号を適当な比率でミキシングしてアンプに出力する。アンプは、ミキサからのミキシング信号を増幅し、放音信号としてスピーカ２０へ出力する。これにより、スピーカ２０からは放音信号に基づくカラオケ演奏音およびマイク４０からの歌唱音声が放音される。
【００２６】
表示処理部１５は、制御部１１の制御に基づき、表示装置３０における各種表示に関する処理を行う。たとえば、表示処理部１５は、カラオケ演奏時における背景映像に歌詞テロップが重ねられた映像を表示装置３０に表示させる制御を行う。また、本実施形態に係る表示処理部１５は、制御部１１の制御に基づき、所定のアイコンを表示装置３０やリモコン装置５０のディスプレイに表示させる（詳細は後述）。表示装置３０やリモコン装置５０のディスプレイは「表示部」の一例である。
【００２７】
操作部１６は、パネルスイッチおよびリモコン受信回路などからなり、歌唱者によるカラオケ装置１のパネルスイッチあるいはリモコン装置５０の操作に応じて予約信号、中止信号などの操作信号を制御部１１に対して出力する。制御部１１は、操作部１６からの操作信号を検出し、対応する処理を実行する。
【００２８】
（ソフトウェア構成）
図３はカラオケ本体１０のソフトウェア構成例を示す図である。カラオケ本体１０は、
属性情報抽出部１００と、比較部２００と、アイコン制御部３００と、モード制御部４００とを備える。
【００２９】
制御部１１は、所定のプログラムを実行することにより、属性情報抽出部１００、比較部２００、アイコン制御部３００、及びモード制御部４００として機能する。
【００３０】
属性情報抽出部１００は、所定期間に演奏された複数の楽曲から、共通する属性情報を抽出する。所定期間は任意の値（たとえば、カラオケ開始から３０分間、或いはカラオケ開始から５曲演奏される期間）とすることができる。所定期間は、カラオケ装置１毎に予め設定されていてもよいし、リモコン装置５０等を介して都度設定することでもよい。
【００３１】
具体例として、各歌唱者が、楽曲Ａ（属性情報：アニメ）、楽曲Ｂ（属性情報：演歌）、楽曲Ｃ(属性情報：ロック)、楽曲Ｄ（属性情報：アニメ）、楽曲Ｅ（属性情報：アニメ）、楽曲Ｆ（属性情報：ポップス）、楽曲Ｇ（属性情報：ポップス）、楽曲Ｈ（属性情報：アニメ）、楽曲Ｉ（属性情報：演歌）、楽曲Ｊ（属性情報：ロック）の順で選曲を行ったとする。また、所定期間として「カラオケ開始から３０分間」と設定されていたとする。
【００３２】
カラオケ装置１により演奏された楽曲の楽曲データは、メモリ１１ｂ等に一時的に記憶される。
【００３３】
カラオケ開始から３０分が経過した場合、属性情報抽出部１００は、その時点でメモリ１１ｂに記憶された楽曲（この例では楽曲Ａ〜楽曲Ｅまで歌唱されたとする）から共通する属性情報「アニメ」を抽出する。共通する属性情報は、所定期間に演奏された全ての楽曲が有している必要はない。少なくとも２つの楽曲が同じ属性情報を有する場合、当該属性情報は、共通する属性情報として抽出の対象となる。
【００３４】
なお、共通する属性情報が複数種ある場合、属性情報抽出部１００は、それぞれの属性情報を別々に抽出してもよいし、複数の属性情報を紐づけて一の属性情報として抽出してもよい。たとえば、楽曲Ｋ（属性情報：アニメ、８０年代）、楽曲Ｌ（属性情報：演歌、９０年代）、楽曲Ｍ(属性情報：ロック、９０年代)、楽曲Ｎ（属性情報：アニメ、８０年代）、楽曲Ｏ（属性情報：アニメ、２０００年代）の場合、属性情報抽出部１００は、「アニメ」、「８０年代」、「９０年代」それぞれを個別の属性情報として抽出する。或いは、属性情報抽出部１００は、「アニメ」と「８０年代」を紐づけて一つの属性情報（「アニメ＋８０年代」）として抽出する。
【００３５】
比較部２００は、抽出された属性情報の割合と閾値とを比較する。
【００３６】
「属性情報の割合」とは、所定期間に演奏された全楽曲のうち、共通する属性情報を含む楽曲の占める率である。「閾値」は、縛りモードに移行するかどうかの基準となる値である。閾値は、カラオケ装置１毎に予め設定されていてもよいし、リモコン装置５０等を介して都度設定することでもよい。「縛りモード」は、リモコン装置５０等で楽曲検索を行う場合に、所定の属性情報を含む楽曲のみを選曲可能とするモードである。縛りモードを選択することにより、歌唱者は所定の属性情報に対応する楽曲しか選曲できなくなるため、容易に縛りカラオケを行うことが可能となる。
【００３７】
具体的には、比較部２００は、抽出された属性情報の割合（たとえば、アニメを含む楽曲が７０％）と閾値とを比較し、その結果をアイコン制御部３００に送信する。抽出された属性情報が複数種ある場合、比較部２００は、属性情報毎に閾値との比較を行う。この場合の閾値は、属性情報毎に設定されていてもよいし（たとえば、ジャンルの場合は８０％、年代の場合は５０％）、一の閾値を共通で用いてもよい。
【００３８】
アイコン制御部３００は、抽出された属性情報の割合が閾値以上の場合、表示処理部１５を制御し、当該属性情報を含む楽曲のみを選曲可能とする縛りモードに移行するためのアイコンをリモコン装置５０のディスプレイに表示させる。アイコン制御部３００及び表示処理部１５は、「表示制御部」の一例である。
【００３９】
図４及び図５は、リモコン装置５０のディスプレイを示す図である。図では、ディスプレイ上に表示される各種アイコン等のうち、発明の説明に必要なものを中心に示している。またアイコン等のレイアウトは、図の例に限られない。
【００４０】
抽出された属性情報の割合が閾値以上の場合、表示処理部１５は、アイコン制御部３００の指示に基づき、歌唱者に縛りモードへの移行を行うためのアイコンＸをリモコン装置５０のディスプレイに表示させる（図４参照）。表示処理部１５は、表示画面には縛りモードへの移行を提案するメッセージを表示させてもよい（図４参照）。歌唱者がリモコン装置５０等を介してアイコンＸを選択することにより、縛りモードに移行する。アイコンＸには、縛りに適用する属性情報（図４では「アニメ」）が表示される。このように、縛りに適用する属性情報を表示させることにより、歌唱者はどのようなテーマの縛りモードに移行するのかを把握できる。操作部１６及びリモコン装置５０は、「入力部」の一例である。
【００４１】
閾値以上の属性情報が複数種ある場合には、縛りモード移行用のアイコンを複数表示させることも可能である（図５に示すアイコンＹ、アイコンＺ）。また、ここでは、アイコンをリモコン装置５０のディスプレイに表示させる例について述べたが、表示装置３０のディスプレイに表示させることも可能であるし、両方のディスプレイに同じ表示を行うことも可能である。
【００４２】
所定期間において属性情報が共通している楽曲の歌唱が行われている場合、意図せず縛りカラオケと似た状況が生じていることとなる。従って、縛りモードへの移行を視覚的に歌唱者に報知することで歌唱者が縛りカラオケを行うきっかけを提供できる。また、歌唱者にとっては、当該アイコンを選択するだけで、場の雰囲気に合った縛りカラオケを簡単に行うことができる。すなわち、口頭で縛りカラオケのテーマ設定等を行う必要がないため、気軽に縛りカラオケを行うことができる。また面識のない者同士でカラオケを行う場合（たとえば、カラオケ喫茶）にも、歌唱者同士の共通のジャンル等を把握できるため、それをきっかけに場の雰囲気を盛り上げることも可能となる。
【００４３】
モード制御部４００は、縛りモードにおける各種制御を行う。図６Ａ〜図６Ｃは、リモコン装置５０のディスプレイを示す図である。図では、ディスプレイ上に表示される各種アイコン等のうち、発明の説明に必要なものを中心に示している。またアイコン等のレイアウトは、図の例に限られない。
【００４４】
図５において、アイコンＸが選択された場合、モード制御部４００は、表示処理部１５を制御し、ディスプレイ上に縛りモード中である旨の表示αを行う（図６Ａ参照）。表示αがあることにより、歌唱者は現在どのような縛りモードにあるのかを容易に把握することができる。
【００４５】
ここで、楽曲名の検索領域ＳＡにおいて、たとえば「あ」が選択された場合、モード制御部４００は、「あ」から始まる楽曲名のうち、縛りモードに対応する楽曲のみ（「あ」から始まる曲名を持つ、アニメの楽曲のみ）を表示させる。
【００４６】
更には、モード制御部４００は、縛りモードに移行した後、リモコン装置５０等を介して新たな属性情報の入力があった場合、抽出された属性情報を含む楽曲であって、且つ新たな属性情報を含む楽曲のみを選曲可能とする。
【００４７】
たとえば、歌唱者が図６Ａにおける「アニメ」の縛りモードにおいて、縛り条件追加アイコンＨＩを選択したとする。この場合、ディスプレイには、縛り条件として追加できる項目が表示される（図６Ｂ参照）。ここで、歌唱者が新たな属性情報として「８０年代」を選択した場合、モード制御部４００は、「アニメ」且つ「８０年代」の楽曲のみが検索対象となるようカラオケ装置１を制御する。すなわち、上記例において、楽曲名「あ」が選択された場合、モード制御部４００は、曲名が「あ」から始まる楽曲のうち、先の縛りモードに対応する楽曲（アニメ）、且つ新たな属性情報を含む楽曲（８０年代）のみを表示させる。この場合、ディスプレイの表示αには、「アニメ＋８０年代」という縛り条件が表示される（図６Ｃ参照）。なお、一度に複数の属性情報を追加することも可能である（たとえば、図６Ｂにおいて、８０年代＋タイアップあり）。或いは、一端、新たな属性情報を選択した後、更に属性情報を追加、或いは先に選択した属性情報を削除することも可能である。
【００４８】
なお、縛りモードの解除は、たとえば、リモコン装置５０のディスプレイに表示される解除アイコンＣＩを選択することで可能となる。モード制御部４００は、解除アイコンＣＩの選択信号に基づいて縛りモードを解除し、全ての楽曲の検索を可能とする。
【００４９】
＝＝カラオケ装置１の動作について＝＝
次に、図７を参照して本実施形態に係るカラオケ装置１の動作の具体例について述べる。図７は、カラオケ装置１の動作例を示すフローチャートである。
【００５０】
各歌唱者は、リモコン装置５０を介し、楽曲を選択する。リモコン装置５０は、選択された楽曲に対応する楽曲ＩＤをカラオケ本体１０に送信する。カラオケ装置１は、登録された順に楽曲の演奏を行う。歌唱者は演奏に合わせてカラオケ歌唱を行う（楽曲の選択・歌唱。ステップ１０）。演奏された楽曲は、順次、メモリ１１ｂに記憶される。
【００５１】
所定期間が経過した後、属性情報抽出部１００は、その間に演奏された複数の楽曲から、共通する属性情報を抽出する（共通する属性情報の抽出。ステップ１１）。
【００５２】
比較部２００は、ステップ１１で抽出された属性情報の割合と閾値とを比較する（閾値との比較。ステップ１２）。
【００５３】
抽出された属性情報の割合が閾値以上の場合（ステップ１３でＹの場合）、アイコン制御部３００は、表示処理部１５を制御し、当該属性情報を含む楽曲のみを選曲可能とする縛りモードに移行するためのアイコンをリモコン装置５０に表示させる（アイコンの表示。ステップ１４）。
【００５４】
歌唱者が当該アイコンを選択することにより、モード制御部４００は、縛りモードを実行する（縛りモードへの移行。ステップ１５）。
【００５５】
一方、抽出された属性情報の割合が閾値より少ない場合（ステップ１３でＮの場合）、カラオケ装置１は、引き続き選択された楽曲の演奏を行う。
【００５６】
このように、本実施形態に係るカラオケ装置１によれば、所定期間に歌唱された楽曲が共通する属性情報を有する場合に縛りモードへの移行が可能となるアイコンを視覚的に提供できる。歌唱者は、当該アイコンを選択するだけで、テーマ設定等の面倒な作業を行うことなく縛りカラオケを行うことができる。また、この場合の縛りモードのテーマはその場で歌唱された楽曲の属性情報に基づくため、場の雰囲気を壊すことがない。すなわち、歌唱者の求める縛りカラオケを行うことが可能となる。なお、本実施形態に係る複数の楽曲を歌唱する歌唱者は、一人でも複数人でもよい。縛りカラオケ自体は一人でも複数人でも楽しむことが可能である。
【００５７】
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００５８】
１  カラオケ装置
１０  カラオケ本体
１１  制御部
１３  記憶部
１６  操作部
５０  リモコン装置
１００  属性情報抽出部
２００  比較部
３００  アイコン制御部
４００  モード制御部
【図１】
0006594045.tif 000002
【図２】
0006594045.tif 000003
【図３】
0006594045.tif 000004
【図４】
0006594045.tif 000005
【図５】
0006594045.tif 000006
【図６Ａ】
0006594045.tif 000007
【図６Ｂ】
0006594045.tif 000008
【図６Ｃ】
0006594045.tif 000009
【図７】
0006594045.tif 000010